(57)【要約】【課題】塵埃の逆流を確実に防止した電気掃除機を提供する。【解決手段】ダストボックスユニット１は、底部近傍のダストボックス吸気口１ａ及びその反対側のダストボックス排気口１ｂを有するダストボックス１１、ダストボックス１１のダストボックス吸気口１ａを塞ぐようにダストボックス吸気口１ａの左右いずれかの一方側に固定された逆止弁パッキン１２、逆止弁パッキン１２の下部に設けられた塵埃溜室１３、ダストボックス排気口１ｂに設けられた円筒状の集塵フィルタ１４、及び集塵フィルタ１４をダストボックス１１へ固定するためのフィルタガスケット１５よりなる。塵埃溜室１３はダストボックス１１の底部の延長である平坦部１３１及び平坦部１３１に対して傾斜する傾斜部１３２よりなり、楔状空間を形成している。【選択図】  図２
2019088539.tif 000002
【特許請求の範囲】
【請求項１】
掃除機吸気口と、
掃除機排気口と、
前記掃除機吸気口と前記掃除機排気口との間に設けられた電動送風ファンと、
前記掃除機吸気口と前記電動送風ファンとの間に設けられたダストボックスユニットと
を具備し、
前記ダストボックスユニットは、
底部近傍にダストボックス吸気口を有し該ダストボックス吸気口の反対側にダストボックス排気口を有するダストボックスと、
前記ダストボックス吸気口を塞ぐように設けられた逆止弁パッキンと、
前記逆止弁パッキンの下部と前記ダストボックスの前記底部との間に設けられ、前記ダストボックス吸気口の上流側に張り出した塵埃溜室と、
前記ダストボックス排気口に設けられた集塵フィルタと
を具備する電気掃除機。
【請求項２】
前記逆止弁パッキンは前記塵埃溜室の上部の一部をも塞いでいる請求項１に記載の電気掃除機。
【請求項３】
前記逆止弁パッキンは、前記ダストボックス吸気口の左右いずれかの一方側に固定された請求項１または請求項２に記載の電気掃除機。
【請求項４】
前記塵埃溜室は、
前記ダストボックスの底面部の延長である平坦部と、
前記平坦部に対して傾斜して設けられた傾斜部と
を有し、楔状空間をなしている請求項１乃至請求項３のいずれかに記載の電気掃除機。
【発明の詳細な説明】
【技術分野】
【０００１】
本発明はダストボックスユニットを用いた電気掃除機に関する。
【背景技術】
【０００２】
通常、従来の手動式小型掃除器においても、塵埃収納容器（ダストボックス相当）及び集塵フィルタを有しているものがある（参照：特許文献１）。すなわち、吸気口を有する前部筒体と空気排気弁及び吸引手段としてのゴム袋体を有する後部筒体との組合せにおいて、前部筒体の排出穴に塵埃収納容器（ダストボックス相当）を設け、前部筒体と後部筒体との間に集塵フィルタ及び空気排気弁（逆止弁相当）を設けている。吸引動作時には、空気排気弁が開き、吸引気流が前部筒体から後部筒体へ流れる。このとき、塵埃は集塵フィルタで受け止められ、集塵フィルタの前方で重力により落ちる塵埃は塵埃収納容器内に溜まる。
【先行技術文献】
【特許文献】
【０００３】
【特許文献１】実用新案登録第３１３２９７８号公報
【発明の概要】
【発明が解決しようとする課題】
【０００４】
しかしながら、上述の従来の手動式小型掃除器においては、掃除器のオフ後に掃除器の吸気口を下方向に向けた場合、逆止弁は吸気口と塵埃収納容器との間には存在しないので、塵埃収納容器に溜まった塵埃が吸気口へ逆流するという課題がある。
【課題を解決するための手段】
【０００５】
上述の課題を解決するために、本発明に係る電気掃除機は、掃除機吸気口と、掃除機排気口と、掃除機吸気口と掃除機排気口との間に設けられた電動送風ファンと、掃除機吸気口と電動送風ファンとの間に設けられたダストボックスユニットとを具備し、ダストボックスユニットは、底部近傍にダストボックス吸気口を有しこのダストボックス吸気口の反対側にダストボックス排気口を有するダストボックスと、ダストボックス吸気口を塞ぐように設けられた逆止弁パッキンと、逆止弁パッキンの下部とダストボックスの底部との間に設けられ、ダストボックス吸気口の上流側に張り出した塵埃溜室と、ダストボックス排気口に設けられた集塵フィルタとを具備するものである。
【発明の効果】
【０００６】
本発明によれば、ダストボックスユニットが傾き又は下方に向いて逆止弁パッキンがゆっくり閉じても、ダストボックスユニットに溜まった塵埃は塵埃溜室に自然に入り込むので、塵埃の逆流を確実に防止できる。
【図面の簡単な説明】
【０００７】
【図１】本発明に係る電気掃除機の実施の形態を示し、（Ａ）は上面図、（Ｂ）は側面側斜視図、（Ｃ）は下面側斜視図である。
【図２】図１の（Ａ）のＩＩ−ＩＩ線断面図であり、（Ａ）は全体図、（Ｂ）はダストボックスユニット部分の拡大図である。
【図３】図１、図２のダストボックスユニットの脱着を説明する斜視図である。
【図４】図１、図２のダストボックスユニットの分解斜視図である。
【図５】図１、図２のダストボックスユニットの詳細を示す斜視図である。
【図６】図１、図２の電気掃除機の吸引動作を説明するための図である。
【図７】図１、図２の電気掃除機の吸引終了動作を説明するための図である。
【図８】図２の塵埃溜室の変更例を示す断面図である。
【発明を実施するための形態】
【０００８】
図１は本発明に係る電気掃除機の実施の形態を示し、（Ａ）は上面図、（Ｂ）は側面側斜視図、（Ｃ）は下面側斜視図である。また、図２は図１の（Ａ）のＩＩ−ＩＩ線断面図であり、（Ａ）は全体図、（Ｂ）はダストボックスユニット部分の拡大図である。
【０００９】
図１、図２において、ダストボックスユニット１は、底部近傍のダストボックス吸気口１ａ及びその反対側のダストボックス排気口１ｂを有するダストボックス１１、ダストボックス１１のダストボックス吸気口１ａを塞ぐようにダストボックス吸気口１ａの左右いずれかの一方側に固定された逆止弁パッキン１２、逆止弁パッキン１２の下部に設けられた塵埃溜室１３、ダストボックス排気口１ｂに設けられた円筒状の集塵フィルタ１４、及び集塵フィルタ１４をダストボックス１１へ固定するためのフィルタガスケット１５よりなる。ダストボックス吸気口１ａは、ダストボックスユニット１の掃除機吸気口４ａ側の側壁面の下部、すなわちダストボックス１１の底部側に設けられている。ダストボックスユニット１は表面パネル２ａ、裏面パネル２ｂによって構成されるハウジング内に格納されるが、ノブ３を押下することによってハウジング（２ａ、２ｂ）から外せる。つまり、ダストボックスユニット１はハウジング（２ａ、２ｂ）に脱着可能になっている。
【００１０】
塵埃溜室１３はダストボックス１１の底部の延長である平坦部１３１及び平坦部１３１に対して傾斜する傾斜部１３２よりなり、楔状空間を形成している。傾斜部１３２はダストボックス吸気口１ａからの吸引風流の効率を下げないように作用する。
【００１１】
ダストボックス吸気口１ａと掃除機吸気口４ａとの間にはブラシカバー５ａで囲まれた回転ブラシ５が設けられており、回転ブラシ５の近傍に回転ブラシ５のブラシ駆動モータ６が設けられている。また、表面パネル２ａの先端部には清掃面Ｓを照らすためのヘッドライト部７が設けられている。
【００１２】
他方、ダストボックス排気口１ｂと掃除機排気口４ｂとの間には送風ファン８及び送風ファン８の近傍に送風ファン８のファン駆動モータ９が設けられている。さらに、裏面パネル２ｂの後端には、シガーレットライトに接続される電源コード（図示せず）の電源コードコネクタ１０ａ及び電源スイッチ１０ｂが設けられている。
【００１３】
図３は図１、図２のダストボックスユニット１の脱着を説明する斜視図である。
【００１４】
図３に示すように、ノブ３を押下することによりダストボックスユニット１はハウジング（２ａ、２ｂ）から離脱する。逆に、ダストボックスユニット１をハウジング（２ａ、２ｂ）に嵌め込むと、ノブ３がダストボックスユニット１を固定する。つまり、ダストボックスユニット１は電気掃除機から着脱自在となっている。
【００１５】
図４は図１、図２のダストボックスユニット１の分解斜視図である。
【００１６】
図４に示すように、逆止弁パッキン１２はねじ１２ａによって予めダストボックス１１に固定されている。ダストボックス吸気口１ａは、横長の矩形状に形成されており、逆止弁パッキン１２は、ダストボックス吸気口１ａより僅かに大きくダストボックス吸気口１ａを完全に塞ぐ横長矩形状部にダストボックスへ取り付けるための固定部を備えた形状に形成されている。さらに、図５に詳細を示すように、逆止弁パッキン１２は弾性部材たとえばシリコーンゴムよりなり、片側支点でねじ１２ａによってダストボックス１１に固定されている。この場合、逆止弁パッキン１２は塵埃溜室１３を塞いでいないが、好ましくは、塵埃溜室１３の上部の一部を塞ぐようにする。これにより、吸引風流Ｆがない場合、逆止弁パッキン１２はダストボックス吸気口１ａを完全に塞ぐようにする。但し、弾性部材である逆止弁パッキン１２はダストボックス吸気口１ａに完全には密着しない。
【００１７】
次に、図１、図２の電気掃除機の動作を図６、図７を用いて説明する。
【００１８】
始めに、吸引動作を開始するに当たり、電源コードを電源コードコネクタ１０ａと自動車のシガーレットライトとの間に接続し、図６の（Ａ）に示すごとく、電気掃除機のブラシカバー５を清掃すべき清掃面Ｓに合わせる。次いで、電源スイッチ１０ｂをオンにすると、ブラシ駆動モータ６及びファン駆動モータ９が駆動して回転ブラシ５及び送風ファン８が回転する。従って、図６の（Ａ）に示すごとく、吸引風流Ｆが電気掃除機内を流れる。この結果、図６の（Ｂ）に示すごとく、片側支点で固定された逆止弁パッキン１２は片めくれ状態となり、吸引風流Ｆは集塵フィルタ１４の周囲を旋回しながら効率よく流れることになる。これにより、集塵フィルタ１４の各メッシュで捕獲され、捕獲された塵埃は重力で落下して塵埃溜場所Ｐに溜まる。
【００１９】
逆止弁パッキン１２は、左右のいずれかの片側支点で固定し、上端および下端が固定されないので、吸引動作時には固定部を支点にダストボックス排気口１ｂ側にめくれ、ダストボックス１１の側壁面に沿う旋回気流を発生させることができる。従って、上下のいずれかで固定したものと比較して集塵効率を高いものとすることができる。
【００２０】
次に、吸引動作を終了するために、電源スイッチ１０ｂをオフにして回転ブラシ６及び送風ファン８の回転を停止させる。このとき、図７の（Ａ）に示すごとく、電気掃除機は、通常、清掃面Ｓに対して傾斜している。この結果、図７の（Ａ）、（Ｂ）に示すごとく、塵埃溜場所Ｐに溜まって逆流する逆流塵埃Ｒは塵埃溜室１３に完全に入り込むので、たとえ、片めくれた逆止弁パッキン１２が完全に戻ってなく逆止弁パッキン１２と塵埃溜室１３との間に隙間があっても、塵埃がダストボックス吸気口１ａから排出することはなく、従って、塵埃が掃除機吸気口４ａから排出することはない。
【００２１】
最後に、ノブ３を押下することによりダストボックスユニット１を取外し、塵埃溜場所Ｐに溜まった塵埃を廃棄する。その際には塵埃溜室１３内の塵埃も廃棄される。
【００２２】
図８は図２の塵埃溜室の変更例を示す断面図である。
【００２３】
図８においては、図２の楔形状の塵埃溜室１３の代りに、台形形状の塵埃溜室１３’を設ける。塵埃溜室１３’は、ダストボックス１１の底面の延長である平坦部１３１’、平坦部１３１’の上部の平坦部１３２’、及び平坦部１３１’、１３２’の先端に傾斜して設けられた傾斜部１３３’を有し、台形空間を形成している。但し、楔状形状の塵埃溜室１３より吸引風流Ｆに対する抵抗は増加する。この場合も、逆止弁パッキン１２は塵埃溜室１３’の上部の一部を塞いでいる。
【００２４】
尚、本発明は上述の実施の形態の自明の範囲のいかなる変更に適用し得る。
【産業上の利用可能性】
【００２５】
本発明は小型電気掃除機としてハンディクリーナ、カークリーナに利用できる。特に、電池を内蔵せずに、たとえばシガーレットライタを介して自動車のバッテリを利用することによりカークリーナを小型化できる。
【符号の説明】
【００２６】
１：ダストボックスユニット
１ａ：ダストボックス吸気口
１ｂ：ダストボックス排気口
１１：ダストボックス
１２：逆止弁パッキン
１２ａ：ねじ
１３、１３’：塵埃溜室
１４：集塵フィルタ
１５：フィルタガスケット
２ａ：表面パネル
２ｂ：裏面パネル
３：ノブ
４ａ：掃除機吸気口
４ｂ：掃除機排気口
５：回転ブラシ
５ａ：ブラシカバー
６：ブラシ駆動モータ
７：ヘッドライト部
８：送風ファン
９：ファン駆動モータ
１０ａ：電源スイッチ
１０ｂ：電源コードコネクタ
Ｆ：吸引風流
Ｐ：塵埃溜場所
【図１】
2019088539.tif 000003
【図２】
2019088539.tif 000004
【図３】
2019088539.tif 000005
【図４】
2019088539.tif 000006
【図５】
2019088539.tif 000007
【図６】
2019088539.tif 000008
【図７】
2019088539.tif 000009
【図８】
2019088539.tif 000010
【手続補正書】
【提出日】平成30年3月12日(2018.3.12)
【手続補正１】
【補正対象書類名】明細書
【補正対象項目名】００１２
【補正方法】変更
【補正の内容】
【００１２】
他方、ダストボックス排気口１ｂと掃除機排気口４ｂとの間には送風ファン８及び送風ファン８の近傍に送風ファン８のファン駆動モータ９が設けられている。さらに、裏面パネル２ｂの後端には、シガーレットライタに接続される電源コード（図示せず）の電源コードコネクタ１０ａ及び電源スイッチ１０ｂが設けられている。
【手続補正２】
【補正対象書類名】明細書
【補正対象項目名】００１８
【補正方法】変更
【補正の内容】
【００１８】
始めに、吸引動作を開始するに当たり、電源コードを電源コードコネクタ１０ａと自動車のシガーレットライタとの間に接続し、図６の（Ａ）に示すごとく、電気掃除機のブラシカバー５を清掃すべき清掃面Ｓに合わせる。次いで、電源スイッチ１０ｂをオンにすると、ブラシ駆動モータ６及びファン駆動モータ９が駆動して回転ブラシ５及び送風ファン８が回転する。従って、図６の（Ａ）に示すごとく、吸引風流Ｆが電気掃除機内を流れる。この結果、図６の（Ｂ）に示すごとく、片側支点で固定された逆止弁パッキン１２は片めくれ状態となり、吸引風流Ｆは集塵フィルタ１４の周囲を旋回しながら効率よく流れることになる。これにより、集塵フィルタ１４の各メッシュで捕獲され、捕獲された塵埃は重力で落下して塵埃溜場所Ｐに溜まる。
【手続補正３】
【補正対象書類名】図面
【補正対象項目名】図７
【補正方法】変更
【補正の内容】
【図７】
2019088539.tif 000011
【手続補正４】
【補正対象書類名】図面
【補正対象項目名】図８
【補正方法】変更
【補正の内容】
【図８】
2019088539.tif 000012